(57)【要約】【課題】ディジタル放送受信モード、アナログ放送受信モード、外部入力モードのいずれかを選択可能にした装置において、外部入力モードであってもチューナモードに切り替えた際にどのようなモードで受信され表示されるのかを把握できるようにしたディジタル・アナログ放送受信装置を構成する。【解決手段】ディジタル放送とアナログ放送の信号を受信するチューナと映像・音声信号の外部入力部とを備え、チューナがディジタル放送またはアナロク放送のいずれを受信するモードであるかを外部入力モードの表示画面内に表示する。これにより外部入力モードからチューナモードに切り替えた際にディジタル放送受信またはアナログ放送受信のいずれになるのか把握可能となる。例えばチューナモードに切り替えたときにディジタル放送が受信される状態であれば、ＯＳＤにより“ＤＴＶ”といった表示を行う。【選択図】図１
2008141573.tif 000002
【特許請求の範囲】
【請求項１】
ディジタル放送とアナログ放送の信号を受信するチューナと映像・音声信号の外部入力部とを備え、少なくとも外部入力モード、ディジタル放送受信モード、またはアナログ放送受信モードのいずれかを選択可能にしたディジタル・アナログ放送受信装置であって、
前記チューナからの信号を出力するチューナモードと外部入力部からの入力信号を出力する外部入力モードとを選択する入力モード選択手段と、
外部入力モードで放送チャンネルの切り替え操作を受け付けたとき前記チューナモードに切り替えるモード切替手段と、
外部入力モードのとき、ディジタル放送またはアナログ放送のいずれを受信するモードであるかを示す表示信号、および前記入力モード選択手段によって入力モードが前記チューナモードに切り替えられたときに、前記チューナが受信する、または該チューナが受信している受信チャンネルの番号の表示信号を外部入力信号とともに出力する映像信号出力手段と、
を備えたディジタル・アナログ放送受信装置。
【請求項２】
ディジタル放送とアナログ放送の信号を受信するチューナと映像・音声信号の外部入力部とを備え、少なくとも外部入力モード、ディジタル放送受信モード、またはアナログ放送受信モードのいずれかを選択可能にしたディジタル・アナログ放送受信装置であって、
前記チューナからの信号を出力するチューナモードと外部入力部からの入力信号を出力する外部入力モードとを選択する入力モード選択手段と、
外部入力モードのとき、ディジタル放送またはアナログ放送のいずれを受信するモードであるかを示す表示信号を外部入力信号とともに出力する映像信号出力手段と、
を備えたディジタル・アナログ放送受信装置。
【請求項３】
前記映像信号出力手段は、前記入力モード選択手段によって入力モードが前記チューナモードに切り替えられたときに、前記チューナが受信する、または該チューナが受信している受信チャンネルの番号の表示信号も併せて出力する手段を備えた請求項２に記載のディジタル・アナログ放送受信装置。
【発明の詳細な説明】
【技術分野】
【０００１】
この発明は、ディジタル放送とアナログ放送の信号を受信するチューナと映像・音声信号の外部入力部とを備えたディジタル・アナログ放送受信装置に関するものである。
【背景技術】
【０００２】
従来、ＤＶＤ録画機器やディジタルテレビにおいてはディジタル放送とアナログ放送の信号を受信するチューナを備えている。また他の再生装置等から映像・音声信号を入力する外部入力部を備えている。そのため、ユーザは少なくともディジタル放送受信モード、アナログ放送受信モード、または外部入力モードのいずれかを選択して装置を用いることになる。
【０００３】
このような放送受信装置においては、受信のモードや入力のモードがどのような状態にあるかをＯＳＤ（On Screen Display）で表示するように構成されている。例えば特許文献１には、ユーザ操作に応じた録画装置の状態を示すユーザインタフェース画面を、録画装置がディジタル接続された表示装置へＯＳＤ表示するＯＳＤ表示制御方法が示されている。また特許文献２には、外部メモリ読取り機能付きの映像表示装置に関し、特にテレビジョン受像機として適用可能な映像表示装置が示されている。さらに特許文献３には、画面合成を行わずにＯＳＤデータを合成してモニタテレビに移した際にＯＳＤ用の文字を画面に重畳表示することが示されている。
【特許文献１】特開２００６−１４８９４２号公報
【特許文献２】特開２００５−１９７９５４号公報
【特許文献３】特開２００１−３２６８７０号公報
【発明の開示】
【発明が解決しようとする課題】
【０００４】
従来、外部入力部を備えた放送受信装置においては、外部入力モードで、外部入力モードであることの表示、および複数の外部入力部が存在する時にどの入力部からの入力であるかの表示を行うだけであり、外部入力モードからチューナモードに切り替えた時に、ディジタル放送とアナログ放送のいずれが受信されて出力されるのかが全く把握できず、チャンネル選択操作を誤るおそれもあった。例えば外部入力モードから所定チャンネルの放送を受信（視聴）する選択操作を行ってチャンネルのアップダウンキー操作等によって選局を行った際、ディジタル放送のチャンネル選択とアナログ放送のチャンネル選択とを勘違いしたまま設定してしまうおそれがあった。
【０００５】
また、外部入力モードからチューナモードに切り替える際に何チャンネルの放送が受信されることになるのかが事前に把握できないため無駄なキー操作を行ってしまうという問題があった。
【０００６】
さらに、ディジタル放送を受信するモジュールは起動に時間が掛かるため、アナログ放送を受信するモードからディジタル放送を受信するモードに切り替えてから実際にディジタル放送の受信内容が出力されるまでに数秒の時間が掛かる。そのため外部入力モードからディジタル放送を受信する状態に切り替える際にアナログ放送を一旦受信するモードを経由してしまうと目的のチャンネルを受信するまでに時間が掛かるという問題があった。
【０００７】
特許文献１〜３のいずれについても、現在入力されている信号の状態や選択されている入力の状態をＯＳＤ表示するだけであり、上述の問題は解決できない。
【０００８】
そこで、この発明は、上述の各種問題を解消するものであり、ディジタル放送受信モード、アナログ放送受信モード、外部入力モードのいずれかを選択可能にした装置においてその操作性を向上させたディジタル・アナログ放送受信装置を提供することを目的としている。
【課題を解決するための手段】
【０００９】
この発明は、ディジタル放送とアナロク放送の信号を受信するチューナと映像・音声信号の外部入力部とを備え、少なくとも外部入力モード、ディジタル放送受信モード、またはアナログ放送受信モードのいずれかを選択可能にしたディジタル・アナログ放送受信装置であって、
前記チューナからの信号を出力（外部出力または表示出力）するチューナモードと外部入力部からの入力信号を出力（外部出力または表示出力）する外部入力モードとを選択する入力モード選択手段と、
外部入力モードで放送チャンネルの切り替え操作を受け付けたとき前記チューナモードに切り替えるモード切替手段と、
外部入力モードのとき、ディジタル放送またはアナログ放送のいずれを受信するモードであるかを示す表示信号、および前記入力モード選択手段によって入力モードが前記チューナモードに切り替えられたときに、前記チューナが受信する、または該チューナが受信している受信チャンネルの番号の表示信号を外部入力信号とともに出力（外部出力または表示出力）する映像信号出力手段と、
を備えたことを特徴としている。
【発明の効果】
【００１０】
この発明によれば、チューナがディジタル放送受信モードであるのかアナログ放送受信モードであるのかが外部入力モードにおいて表示されるので、外部入力モードからチューナモードに切り替えられる時にディジタル放送が受信されるのかアナログ放送が受信されるのかが事前に確認できるようになる。
【００１１】
また、外部入力モードからチューナモードに切り替えられた時にどのチャンネルが受信されるかが併せて表示されるので、その確認も容易にできる。そのため、例えば目的に応じて予め受信チャンネルを設定した後に外部入力モードからチューナモードに切り替えるといった操作も可能となる。例えばチューナモードに切り替えた際に表示されては困るチャンネル以外のチャンネルにしてからチューナモードに切り替えるといったこともできる。
【００１２】
さらに、ディジタル放送を受信するモードにしておいてからチューナモードに切り替えることによって、チューナが事前にディジタル放送を受信する状態になるので、アナログ放送受信モードからディジタル放送受信モードへ移行する場合の待ち時間が実質上無くなるといった効果を奏する。
【発明を実施するための最良の形態】
【００１３】
《第１の実施形態》
第１の実施形態に係るＤＶＤ録画機器について図１〜図３を参照して説明する。
図１はこの第１の実施形態に係るＤＶＤ録画機器に接続されるモニタ（テレビ受像機）に表示される画面の表示例を示すものである。図１（Ａ），（Ｂ）のいずれも外部入力モードでの表示例であるが、図１（Ａ）はチューナのモードがディジタル放送受信モードである時、図１（Ｂ）はアナログ放送受信モードである時の例である。ここで画面の右上コーナ付近に表示されるＯＳＤのうち、表示領域Ｄ１は現在の入力ソースを表示するものであり、この例では外部入力（第１外部入力）であることを示す表示“Ｌ１”が表示されている。表示領域Ｄ２はチューナのモードがディジタル放送受信モードであるか否かを表示するものであり、図１（Ａ）ではディジタル放送受信モードであることを示す“ＤＴＶ”が表示されている。アナログ放送受信モードでは図１（Ｂ）のように何も表示されない。さらに表示領域Ｄ３はチューナが受信している（裏で勝手に受信している）チャンネル番号を表示するものであり、この例ではチャンネル番号“２”が表示されている。
【００１４】
図２は第１の実施形態に係るＤＶＤ録画機器１００の構成を示すブロック図である。ディジタル・アナログチューナ１１はディジタル放送とアナログ放送の所定チャンネルを選択的に受信するチューナである。ＤＶＤ・ＨＤ記録／再生部１２はハードディスクおよびＤＶＤの記録／再生を行う装置および回路であり、ディジタル・アナログチューナ１１により受信された映像信号・音声信号を記録し再生する。
【００１５】
切替回路１３は、制御部１５からの制御に応じて外部入力端子１０からの外部入力信号、ディジタル・アナログチューナ１１の出力信号、ＤＶＤ・ＨＤ記録／再生部１２からの出力信号のいずれか１つを選択して出力する。ＯＳＤ処理部１４は切替回路１３からの出力信号に対して所定の文字等が表示されるようにＯＳＤ信号処理を行って映像出力端子１８へ出力する。また切替回路１３の出力信号のうち音声信号は音声出力端子１９へ出力する。
【００１６】
リモコン受信部１６はリモコンからの信号を受信し制御部１５へ与える。制御部１５はリモコン受信部１６による受信内容または操作部１７の操作内容に応じて、ディジタル・アナログチューナ１１のディジタル放送受信モードまたはアナログ放送受信モードの切り替え、ＤＶＤ・ＨＤ記録／再生部１２の記録／再生制御、切替回路１３の切り替え制御、さらにＯＳＤ処理部１４へのＯＳＤ表示内容の出力等の制御を行う。
【００１７】
図３は図２に示した制御部１５の処理内容をフローチャートとして表したものである。まずリモコン受信部１６の受信内容または操作部１７の操作内容を読み取る（Ｓ１）。ディジタル／アナログ切替操作であればディジタル・アナログチューナ１１のディジタル放送受信モードとアナログ放送受信モードのモードを切り替える（反転する）（Ｓ２→Ｓ３→Ｓ４→Ｓ５）。リモコンまたは操作部１７とステップＳ１を実行する制御部１５とがこの発明に係る入力モード選択手段に相当する。
【００１８】
またチャンネル選択操作であれば切替回路１３をディジタル・アナログチューナ１１からの信号を入力するように切り替えるとともにチャンネルの選択を行う（Ｓ３→Ｓ６→Ｓ７）。このことよりそのチャンネルのディジタル放送またはアナログ放送の受信を行う（Ｓ８）。このステップＳ３→Ｓ６を実行する制御部１５がこの発明に係るモード切替手段に相当する。
【００１９】
なおステップＳ６でチューナモードを選択するのは外部入力モードからこのチャンネル選択操作が行われた時にディジタル放送またはアナログ放送の視聴を行うようにするためである。
【００２０】
外部入力を選択する操作が行われたなら、その時点でチューナのモードがディジタル放送受信モードであるかアナログ放送受信モードであるかを記憶し、さらに受信チャンネルを記憶する（Ｓ２→Ｓ９→Ｓ１０）。そして切替回路１３の制御によって外部入力を選択し（Ｓ１１）、（ａ）外部入力モードであること、（ｂ）ディジタル放送受信モード・アナログ放送受信モードのいずれであるか、（ｃ）後にチューナモードに切り替えられた時に何チャンネルが視聴されるようになるかを表すチャンネル番号、そのそれぞれをＯＳＤ表示するように信号出力する（Ｓ１２）。このステップＳ１２を実行する制御部１５がこの発明に係る映像信号出力手段に相当する。
【００２１】
なお、ステップＳ１３のその他の処理ではＤＶＤ・ＨＤ記録／再生部１２の記録／再生制御に関する処理等を行う。
【００２２】
《第２の実施形態》
図４・図５を参照して第２の実施形態に係るディジタルテレビ（テレビジョン受像機）について説明する。
【００２３】
図４は第２の実施形態に係るディジタルテレビ１０１の構成を示すブロック図である。ディジタル・アナログチューナ２１は、ディジタル放送とアナログ放送の所定チャンネルを選択的に受信するチューナである。
【００２４】
切替回路２３は、制御部２５からの制御に応じて外部入力端子２０からの外部入力信号かディジタル・アナログチューナ２１の出力信号のいずれか一方を選択して出力する。ＯＳＤ処理部２４は切替回路２３からの出力信号に対して所定の文字等が表示されるようにＯＳＤ信号処理を行って映像出力部２８へ出力する。また切替回路２３の出力信号のうち音声信号は音声出力部２９へ出力する。
【００２５】
リモコン受信部２６はリモコンからの信号を受信し制御部２５へ与える。制御部２５はリモコン受信部２６による受信内容または操作部２７の操作内容に応じて、ディジタル・アナログチューナ２１のディジタル放送受信モードまたはアナログ放送受信モードの切り替え、切替回路２３の切り替え制御、さらにＯＳＤ処理部２４へのＯＳＤ表示内容の出力等の制御を行う。
【００２６】
映像出力部２８はＯＳＤ処理部２４の出力信号を映像として表示する。また音声出力部２９は切替回路２３の出力のうち音声信号を音声（音響）として発生する。
【００２７】
図５は図４に示した制御部２５の処理内容をフローチャートとして表したものである。まず、リモコン受信部１６の受信内容または操作部１７の操作内容を読み取る（Ｓ２１）。ディジタル／アナログ切替操作であればディジタル・アナログチューナ２１のディジタル放送受信モードとアナログ放送受信モードのモードを切り替える（反転する）（Ｓ２２→Ｓ２３→Ｓ２４→Ｓ２５）。リモコンまたは操作部２７とステップＳ２１を実行する制御部２５とがこの発明に係る入力モード選択手段に相当する。
【００２８】
またチャンネル選択操作であれば切替回路１３をディジタル・アナログチューナ１１からの信号を選択するように切り替えるとともにチャンネルの選択を行い、そのチャンネルのディジタル放送またはアナログ放送の受信を行う（Ｓ２３→Ｓ２６→Ｓ２７）。そして、現在の受信モードがディジタル放送受信モードであるかアナログ放送受信モードであるかの区別および受信チャンネルの番号をそれぞれＯＳＤ表示する（Ｓ２８）。
【００２９】
上記ステップＳ２３→Ｓ２６→Ｓ２７を実行する制御部２５がこの発明に係るモード切替手段に相当する。
【００３０】
チューナモードと外部入力モードの切り替え操作であれば、そのいずれかのモードに反転する（Ｓ２２→Ｓ２９）。そして外部入力モードになれば、その時点でチューナのモードがディジタル放送受信モードであるかアナログ放送受信モードであるかを記憶し、さらに受信チャンネルを記憶する（Ｓ３０→Ｓ３１→Ｓ３２）。そして切替回路１３の制御によって外部入力を選択し（Ｓ３３）、（ａ）外部入力モードであること、（ｂ）ディジタル放送受信モード・アナログ放送受信モードのいずれであるか、（ｃ）後にチューナモードに切り替えられた時に何チャンネルが視聴されるようになるかを表すチャンネル番号、そのそれぞれをＯＳＤ表示する（Ｓ３４）。このステップＳ３４を実行する制御部２５がこの発明に係る映像信号出力手段に相当する。
【００３１】
このようにチューナがディジタル放送受信モードであるのかアナログ放送受信モードであるのかが外部入力モードにおいて表示されるので、外部入力モードからチューナモードに切り替えられた時にディジタル放送が受信されるのかアナログ放送が受信されるのかが事前に確認できる。
【００３２】
また、外部入力モードからチューナモードに切り替えられた時にどのチャンネルが受信されるかが併せて表示されるので、その確認も容易にできる。そのため、例えば目的に応じて予め受信チャンネルを設定した後に外部入力モードからチューナモードに切り替えるといった操作も可能となる。例えばチューナモードに切り替えた際に表示されては困るチャンネル以外のチャンネルにしてからチューナモードに切り替えるといったこともできる。
【００３３】
また、外部入力モードで先にディジタル放送を受信するモードにしておいてからチューナモードに切り替えれば、チューナが先にディジタル放送を受信する状態になるので、アナログ放送受信モードからディジタル放送受信モードへ移行する場合の待ち時間が短縮できる。
【００３４】
なお、外部入力モードでチューナの回路動作を停止するように構成してもよい。その場合でも、チューナモードに切り替えてチューナが動作した際にディジタル放送受信モードになるかアナログ放送受信モードになるか、さらにはどのチャンネルを受信するかといった状態を記憶しておき、外部入力モードの画面でそれらの記憶内容を表示すればよい。
【図面の簡単な説明】
【００３５】
【図１】第１の実施形態に係るＤＶＤ録画機器に接続されたモニタ画面の表示例を示す図である。
【図２】同ＤＶＤ録画機器の構成を示すブロック図である。
【図３】図２の制御部の処理内容を示すフローチャートである。
【図４】第２の実施形態に係るディジタルテレビの構成を示すブロック図である。
【図５】同ディジタルテレビの制御部の処理内容を示すフローチャートである。
【符号の説明】
【００３６】
１００−ＤＶＤ録画機器
１０１−ディジタルテレビ
Ｄ１〜Ｄ３−ＯＳＤによる表示領域
【図１】
2008141573.tif 000003
【図２】
2008141573.tif 000004
【図３】
2008141573.tif 000005
【図４】
2008141573.tif 000006
【図５】
2008141573.tif 000007